Podtech/llm-jp-corpus-v4-ja_patent huggingface dataset:
(57)【要約】【課題】  ランジュバン型振動子は洗浄槽の下面の振動板に装着するだけであるので、ランジュバン型振動子を装着する数が少なく、ランジュバン型振動子から照射される超音波のパワーが制限され洗浄槽の中心に集中されないという問題があった。【解決手段】  洗浄槽１は球体の一部で構成され、又、洗浄槽１の端部にフランジ２が形成され、このフランジ２に固定するためのボルト孔３が形成され、又、洗浄槽２の側面及び下面に多数のランジュバン型振動子４が固着され、このランジュバン型振動子４の球状体の洗浄槽１との接触面は球状体の一部になるように構成されている。【選択図】図１
2008086898.tif 000002
【特許請求の範囲】
【請求項１】
球体の一部によって形成された洗浄槽と、該洗浄槽の球体面に接触されるように接触面を球体面に形成して固着された多数のランジュバン型振動子とからなり、前記ランジュバン型振動子から照射される超音波を前記洗浄槽の中心に照射することを特徴とする超音波洗浄装置。
【請求項２】
前記洗浄槽の端部にフランジを形成することを特徴とする請求項１記載の超音波洗浄装置。
【請求項３】
前記洗浄槽のフランジの上に円筒状部材の下端に形成したフランジを接続して洗浄槽の用量を増加することを特徴とする請求項１記載の超音波洗浄装置。
【請求項４】
前記洗浄槽のフランジと円筒状部材のフランジは溶接により接続することを特徴とする請求項１記載の超音波洗浄装置。
【請求項５】
前記洗浄槽のフランジと円筒状部材のフランジはボルト及びナットにより接続することを特徴とする請求項１記載の超音波洗浄装置。
【発明の詳細な説明】
【技術分野】
【０００１】
本発明は、球状体の洗浄槽に複数の超音波振動子を装着するようにした超音波洗浄装置に関するものである。
【背景技術】
【０００２】
従来の超音波洗浄装置は、洗浄槽の底面に複数本のランジュバン型振動子を装着し、このランジュバン型振動子に発振装置から発振出力を印可して、ランジュバン型振動子から超音波を照射して洗浄槽の中の被洗浄物を洗浄するように構成するものが知られている。
【０００３】
しかしながら、このような超音波洗浄装置では、ランジュバン型振動子から照射された超音波は洗浄槽の液体の中を平行に伝搬するだけで、洗浄槽の中心に集中させることができず、又、ランジュバン型振動子は洗浄槽の下面の振動板に装着するだけであるので、ランジュバン型振動子を装着する数が少なく、ランジュバン型振動子から照射される超音波のパワーが制限されるという問題があった。
【特許文献１】特開２０００−３１７４１６
【発明の開示】
【発明が解決しようとする課題】
【０００４】
解決しようとする問題点は、ランジュバン型振動子は洗浄槽の下面の振動板に装着するだけであるので、ランジュバン型振動子を装着する数が少なく、ランジュバン型振動子から照射される超音波のパワーが制限され洗浄槽の中心に集中されないという問題があった。
【課題を解決するための手段】
【０００５】
本発明では、洗浄槽は球体の一部によって形成され、ランジュバン型振動子は洗浄槽の球体面に接触されるように接触面を球体面に形成して固着され、前記ランジュバン型振動子から照射される超音波を前記洗浄槽の中心に照射するものである。
【発明の効果】
【０００６】
本発明の超音波洗浄装置では、洗浄槽は球体の一部によって形成され、この洗浄槽の球体面に接触されるように複数のランジュバン型振動子が装着されているので、ランジュバン型振動子から照射された超音波は洗浄槽の中心に集中するように照射されるという利点があり、又、球面状の洗浄槽の全体にランジュバン型振動子が装着されるので、洗浄槽内に照射される超音波のパワーを協力するすることができるという利点がある。
【発明を実施するための最良の形態】
【０００７】
本発明では、洗浄槽を球体の一部で形成するようにしたので、ランジュバン型振動子が多数装着することができ、又、洗浄槽の中心に超音波を照射することができ、又、超音波のパワーを強くすることができた。
【実施例】
【０００８】
図１は本発明の実施例の超音波洗浄装置の斜視図で、洗浄槽１は球体の一部で構成され、又、洗浄槽１の端部にフランジ２が形成され、このフランジ２に固定するためのボルト孔３が形成され、又、洗浄槽２の側面及び下面に多数のランジュバン型振動子４が固着され、このランジュバン型振動子４の球状体の洗浄槽１との接触面は球状体の一部になるように構成されている。
【０００９】
このように構成された本実施例の超音波洗浄装置では、球体の一部で構成された洗浄槽１内に洗浄液とともに被洗浄物を入れ、ランジュバン型振動子４を駆動すると、ランジュバン型振動子４から照射された超音波は球状体の一部で構成された洗浄槽の中心部分に集中され、この集中された超音波で被洗浄物が洗浄され、又、球状体の洗浄槽の側面及び側面に多数のランジュバン型振動子を装着することができるので、洗浄槽１内に照射される超音波のパワーを強力にすることができ、高密度洗浄をすることができる。
【００１０】
図２は本発明の他の実施例の超音波洗浄装置の斜視図で、１は球状体の一部からなる洗浄槽、２はフランジ、３はボルト孔、４は超音波振動子で、これらの構成は上記実施例とおなじであるので、説明は省略するが、本実施例では、球状体の一部を形成する洗浄槽１のフランジ２の上に、このフランジ２と接続されるフランジ５を装着した円筒体６がもうけられ、円筒体６のフランジ５のボルト孔７とと洗浄槽１のフランジ２のボルト孔７にボルト（図示せず）が通され、ボルトにナット（図示せず）を勘合して接続され、フランジ２と５の間で液体が漏れないように構成されている。
【００１１】
このように構成された本実施例の超音波洗浄装置では、球状体の一部からなる洗浄槽１に円筒体６を接続することにより、洗浄槽に入れる洗浄液が増加子、大量の被洗浄物を洗浄することができる。
【産業上の利用可能性】
【００１２】
なお、上記実施例において、洗浄槽１のフランジ２と円筒体６のフランジ５の接続にボルト及びナットにより接続するする例を説明したが、フランジ２と５を溶接により接続してもよい。
【図面の簡単な説明】
【００１３】
【図１】本発明の実施例の超音波洗浄装置の斜視図である。
【図２】本発明の他の実施例の超音波洗浄装置の正面図である。
【符号の説明】
【００１４】
１                洗浄槽
２                フランジ
３                ボルト孔
４                超音波振動子
５                円筒体
６                フランジ
７                ボルト孔
【図１】
2008086898.tif 000003
【図２】
2008086898.tif 000004
(57)【要約】【課題】  風呂桶及び洗面器として、風呂場で、風呂の湯を掬う、顔を洗う、タオルを洗う等に利用されている。従来の風呂桶及び洗面器は、使い残った湯がそのままになり、風呂場が多湿になることにより、カビの発生原因になる。又、不衛生でもある。このような不都合を解決することを課題とする。【解決手段】  風呂桶及び洗面器の底に小さな水抜き穴を設けて、ゆっくりと使い残った湯が抜けるため、使用時の不便さを感じることなく、風呂場の多湿を抑えることで、この課題を解決する。【選択図】図１
2008086673.tif 000002
【特許請求の範囲】
【請求項１】
水抜き穴を設けた風呂桶及び洗面器。
【発明の詳細な説明】
【技術分野】
【０００１】
本発明は、風呂桶及び洗面器に関するものであり、構造に工夫を加えることによって、水抜きできることにより、風呂場の多湿を抑えてカビの発生を防ぐためのものである。
【背景技術】
【０００２】
従来から、風呂桶及び洗面器として、風呂の湯を掬う、顔を洗う、タオルを洗う等に利用されている。この例として、特許文献１に開示されているものがある。
【特許文献１】特開２０００−３４２４７４号公報
【非特許文献１】特になし。
【発明の開示】
【発明が解決しようとする課題】
【０００３】
しかし、従来のような風呂桶及び洗面器では、使い残った湯がそのままになり、風呂場が多湿になることにより、カビの発生原因になる。又、不衛生でもある。本発明は、このような不都合を解決することを課題とする。
【課題を解決するための手段】
【０００４】
この課題を解決するための請求項目１の発明は、風呂桶及び洗面器の底に水抜き穴を設けたことを特徴とする、風呂桶及び洗面器である。水抜き穴から使い残った湯が抜けるため、風呂場の多湿を抑えることにより、カビの発生を抑えることができる。又、清潔に保つことができる。
【発明の効果】
【０００５】
本発明により、風呂桶及び洗面器に使い残った湯がそのままになり、風呂場が多湿になるという不都合はおきず、風呂場のカビの発生を抑えることができる。そのことにより、風呂場を快適に保つことができる。
【発明を実施するための最良の形態】
【０００６】
図１は、風呂桶及び洗面器の底部に水抜き穴を設けたことを特徴とする、風呂桶及び洗面器の全体図である。同図に示すように、風呂桶及び洗面器の底部に小さな穴を設けることにより、ゆっくりと使い残った湯が抜けるため、使用時の不便さを感じることなく、風呂場の多湿を抑えることができる。そのことにより、風呂場のカビの発生を抑えることができるため、風呂場を快適に保つことができる。
【０００７】
これら風呂桶及び洗面器は、樹脂、プラスチック等の通常のものでよい。又、形状の長さ、厚み、穴の位地、穴の数等に変更を加えたものとしてもよい。
【産業上の利用可能性】
【０００８】
本発明に係る風呂桶及び洗面器は、工業的に量産する事が可能であるため、産業上の利用可能性を有する。
【図面の簡単な説明】
【０００９】
【図１】風呂桶及び洗面器の底部に水抜き穴を設けえた風呂桶及び洗面器の全体図である。
【符号の説明】
【００１０】
１        風呂桶及び洗面器の全体図
２        風呂桶及び洗面器の底部
３        底部の出っ張り（水抜き穴より低い位置になる）
４        水抜き穴（数十分で水が抜けきる大きさ）
【図１】
2008086673.tif 000003
(57)【要約】      （修正有）【課題】幼児からお年寄りまで、その使用する人の状態に合わせて、難度を簡単なものから難しいものまで適宜変更させて、姿勢を良くする鍛錬をすることができる姿勢矯正健康器を提供する。【解決手段】板材の中心に複数の孔径になるように内外径を有するボール受具３を設け、下面に中心に向かって放射状にスライドする、頭部に載置した際に板材を支える支持部材２を設けて頭の上に載せて、前記ボール受具の孔３にボール４を乗せて姿勢の矯正を行う姿勢矯正健康器。【選択図】図１
2008086652.tif 000002
【特許請求の範囲】
【請求項１】
板材の中心に複数の孔径になるように内外径を有するボール受具を設け、下面に中心に向かって放射状にスライドする、頭部に載置した際に板材を支える支持部材を設け、頭の上に載せて、前記ボール受具の孔にボールを乗せて姿勢の矯正を行うことを特徴とする姿勢矯正健康器。
【発明の詳細な説明】
【技術分野】
【０００１】
本発明は、姿勢矯正健康器に係り、子供から大人まで、その発育姿勢状態に合わせて適宜選択できるサッカーボール、バレーボール等の球体ボールを姿勢矯正健康器の板材の孔の上に載せて最適な正しい姿勢でボールが落下しないよう、一定時間維持したり、歩いたり、走ったりし、姿勢を矯正することができる姿勢矯正健康器に関するものである。
【背景技術】
【０００２】
従来は、頭の上に載せて、正しい姿勢の骨格系、筋肉系に矯正する密閉袋体内に微細な球状の鉄粒子を多数充填収納してなる簡易健康器（例えば、特許文献１参照）が存在している。
【特許文献１】実開平６−２６９１６号のマイクロフィルム（実用新案登録請求の範囲の欄、考案の詳細な説明の欄、及び図１、図３、図４を参照）
【発明の開示】
【発明が解決しようとする課題】
【０００３】
しかしながら、従来のような柔軟な各種素材からなる密閉袋体内に鉄粒子を多数充填収納してなる簡易健康器は、頭部の形状に応じて自由にフレキシブルに可撓性よく変形する違和感のない、頭の載せ心地が良いと共に、ずり落ち難いし、かつ落ちても怪我をしない効果があるものであるが、競技、遊び心を持たせることはできず、しかも、その利用者の成長過程、健康状態、年齢等に合わせて種々変化を持たせることができないという欠点がある。
【０００４】
これに対して、本発明に係る姿勢矯正健康器は、幼児からお年寄りまで、その使用する人の状態に合わせて、難度を簡単なものから難しいものまで適宜変更させて、姿勢を良くする鍛錬をすることができる姿勢矯正健康器を提供するものである。
【課題を解決するための手段】
【０００５】
上記課題を解決するための本発明の第１発明は、請求項１に記載された通りの姿勢矯正健康器であり、次のようなものである。
板材の中心に複数の孔径になるように内外径を有するボール受具を設け、下面に中心に向かって放射状にスライドする、頭部に載置した際に板材を支える支持部材を設ける構成である。
【発明の効果】
【０００６】
本発明に係る姿勢矯正健康器は、上記説明のような構成を有するので、以下に記載する効果を奏する。
（１）幼児からお年寄りまで、姿勢の悪くなった人の姿勢矯正に顕著な効果がある。
（２）姿勢の正しい人も使用することで、姿勢を悪くさせない予防の効果がある。
（３）難易度を簡単に変更することができる。
（４）背骨を湾曲しないように矯正したり、首の筋肉を鍛えることができる。
（５）幼児からお年寄りまで使用することができる。
（６）本発明の姿勢矯正健康器の上部にボールを載せて使用することで姿勢を矯正させることができるが、ボールは学校に常備されているバレーボール、サッカーボール等を使用することが可能であるので、学校の体育の授業などで姿勢矯正健康器を使用して、楽しみながら姿勢の悪くなるのを予防することができる。
（７）本発明の姿勢矯正健康器を発泡スチロール等で製作することで軽量で、万が一落としても怪我等をすることがないものである。
【発明を実施するための最良の形態】
【０００７】
板材からなる本体の中心に複数の孔径になるように内外径を有するボール受具を設け、本体下面に中心に向かって放射状にスライドする、頭部に載置した際に本体を支える支持部材を設けて頭の上に載せて、前記ボール受具の孔にボールを乗せて姿勢の矯正を行う姿勢矯正健康器である。
【実施例】
【０００８】
まず、本発明の姿勢矯正健康器について詳細に説明する。
図１は、本発明の実施形態における姿勢矯正健康器の概略斜視図、図２は、本発明の実施形態における姿勢矯正健康器の概略を示した図１のＡ−Ａ線断面図、図３は、本発明の使用に際して準備している状態を示す使用状態斜視図である。
【０００９】
本発明の実施例は、図１〜図３に示すように、頭に載せて使用する姿勢矯正健康器である。
先ず、図１、図２に基づいて具体的な構成を説明する。
合成樹脂製、発泡スチロール製、木製等からなる円盤、角盤等の板材からなる姿勢矯正健康器の本体１の下面に各種スライド機構を有する支持部材２を３個以上設けたもので、支持部材２の形状は案内レールを介して本体１の中心に向かう放射方向にスライドでき、幼児からお年寄りまで、その各人の頭の大きさに合致するよう移動させて係止し、安定化させるものである。また、前記支持部材２は球状にして、スライド機構に取付けられ頭に支持できるようにし、材料も本体１と同様に合成樹脂製、発泡スチロール製、木製を採用することができる。
【００１０】
さらに本体１は、中心に孔３を形成し、この孔３は、円錐体を輪切りにしたものを組み合わせて、孔径を複数できるように着脱自在に複数個の孔径を作れるようにしたもので、ボール４を安定的に載せるには大きい孔にして使用し、不安定にするには小さい孔にして姿勢の矯正に役立てるものである。
【００１１】
図３で示したものは、実際に姿勢矯正健康器を頭の上に載せて姿勢を矯正する際の準備状態を示すもので、支持部材２を外側に移動して載せ、それを頭の大きさになるように中心に向って放射方向に縮めて頭に支持することで、ボール４を落とさないように姿勢良く背筋を伸ばして真っ直ぐ立って歩くとか、ある時間その状態を維持するとか、椅子に腰掛けたり、立ち上がったりを繰り返すことで、背骨を湾曲しないようにしたり、首の筋肉を有効に鍛えたり、姿勢を矯正することができる。また、姿勢の良い人は、その状態を維持するように鍛錬することができ、姿勢を良くして健康を保持するものである。
【産業上の利用可能性】
【００１２】
体罰ではなく、体育の一貫として姿勢の矯正を促進することができる体育用姿勢矯正具としても用いることができる。
【図面の簡単な説明】
【００１３】
【図１】本発明の１実施例で、姿勢矯正健康器を示す概略斜視図である。
【図２】図１のＡ−Ａ線概略断面図である。
【図３】本発明の姿勢矯正健康器を使用する際の準備状態を示す概略斜視図である。
【符号の説明】
【００１４】
１・・・・本体                                ２・・・・支持部材
３・・・・孔                                  ４・・・・ボール
【図１】
2008086652.tif 000003
【図２】
2008086652.tif 000004
【図３】
2008086652.tif 000005
(57)【要約】【課題】機械加工物（ワーク）の水切り装置であって、ワークの表面に付着された水滴を完全に除去する技術を提供する。【解決手段】水切りすべきワーク１を保持するエアブローボックス２と、エアブローボックス２内に取りつけられ、ワーク１をクランプするワーククランプ冶具３と、ワーククランプ冶具３を回転してクランプされたワーク１を回転し、ワーク１に付着された水滴を滴下する冶具回転機構４と、ワーク１から滴下された水滴１１の落下方向と同方向の気流を発生させるエアブロー５とから構成される。【選択図】図１
2008086914.tif 000002
【特許請求の範囲】
【請求項１】
水切りすべきワークを保持するエアブローボックスと、エアブローボックス内に取りつけられ、ワークをクランプするワーククランプ冶具と、ワーククランプ冶具を回転してクランプされたワークを回転し、ワークに付着された水滴を滴下する冶具回転機構と、ワークから滴下された水滴の落下方向と同方向の気流を発生させるエアブローとから構成されることを特徴とするワークの表面に付着された水滴を充分に除去するワークの水切り装置。
【請求項２】
請求項１において、エアブローはエアブローボックスの下流方向に排気用ブローファンとして取りつけられる請求項１に記載のワークの水切り装置。
【請求項３】
請求項１において、圧縮空気吹付けノズルを併用する請求項１に記載のワークの水切り装置。
【請求項４】
冶具の回転駆動にサーボモータを使用し、最適の姿勢での水切りを可能にした請求項１に記載のワークの水切り装置。
【発明の詳細な説明】
【技術分野】
【０００１】
本発明は自動車部品等、鋳造によって成型された機械加工物（ワーク）を水洗い、水切りの後、ワークに残留付着している水滴を完全に除去するワークの水切り装置に関する。
【背景技術】
【０００２】
自動車部品等、各種機械部品の多くは工作機械により加工され、その後、汚れを落とすために水洗に付される。
【０００３】
洗浄されたワークの水切り技術として、従来、圧縮空気吹付けによるエアブローでワークの表面や穴部内の残留液を除去する技術が採用されている。
【０００４】
しかし、このエアブロー方式では、吹き飛ばされた微細な水滴が再度ワークに付着してしまう。あるいは、ワーク表面のエアブロー直撃部の水のみが吹き飛ばされて逃げるが、この水は除去されたものではなく、ワーク外周部に付着したままである。さらに、圧縮空気の吹付けは多大なエネルギーを必要とし、運転費用が大きくなる割には水切り効果が不充分である。
【特許文献１】なし
【発明の開示】
【発明が解決しようとする課題】
【０００５】
本発明の解決しようとする課題はワーク表面あるいは穴部等の残留水滴を完全に除去し、従来の公知技術に存する欠点を改良したワークの水切り装置を提供することにある。
【課題を解決するための手段】
【０００６】
上述の課題を解決するため、本発明のワークの水切り装置によれば、水切りすべきワークを保持するエアブローボックスと、エアブローボックス内に取り付けられ、ワークをクランプするワーククランプ冶具と、ワーククランプ冶具を回転してクランプされたワークを回転し、ワークに付着された水滴を滴下する冶具回転機構と、ワークから滴下された水滴の落下方向と同方向の気流を発生させるエアブローとから構成されることを特徴とする。
【発明の効果】
【０００７】
本発明は水切り装置３を、水切りすべきワークを保持するエアブローボックスと、エアブローボックス内に取りつけられ、ワークをクランプするワーククランプ冶具と、ワーククランプ冶具を回転してクランプされたワークを回転し、ワークに付着された水滴を滴下する冶具回転機構と、ワークから滴下された水滴の落下方向と同方向の気流を発生させるエアブローとから構成することにより、ワーク表面あるいは穴部に残留された残留液を完全に除去し、飛散された残留液が再度ワーク表面に付着するようなことはない。
【発明を実施するための最良の形態】
【０００８】
以下、本発明を添付図面を用いて詳述する。
【０００９】
図１は本発明の一具体例の側面図、図２は平面図である。
【００１０】
本発明は図１に示されるように、機械工作物（ワーク）１の表面または穴部等の洗浄残留液を完全に除去する水切り装置Ａの側面図であって、水切りすべきワーク１を保持するエアブローボックス２と、ワーククランプ冶具３と、冶具回転機構４と、エアブロー５とから構成される。図２は水切り装置Ａの平面図である。
【００１１】
エアブローボックス２は図示しない移載装置によりワーク１をエアブローボックス２内に投入し、ワーク１をクランプの後、ワーク投入口をシャッターで閉じる、シャッターには空気取り入れ用の開口がある。
【００１２】
クランプ冶具３によってクランプされたワーク１は冶具回転機構４によって旋回され、ワーク１が水切りされる。冶具回転機構４はサーボモータ９をＮＣ制御して最適の姿勢でクランプ冶具３を回転する。１０は減速機である。
【００１３】
同時にエアブロー５を運転し、空気をエアブローボックス２の上方からエアブローボックス２内に導入する。導入された空気はワーク１から滴下された水滴の落下方向と同方向の気流となる。エアブロー５は排気用ブロファン１２であり、これを稼動することにより空気の流れ６はエアブローボックス２の上方から矢印方向にエアブローボックス２を通過し、ワーク１に当接して水滴１１を下方に落下する。ワーク１はクランプ冶具３の回転中心軸８を中心にして回転され（矢印方向）、ワーク１の水滴は滴下水滴７として下方に落下する。１３は排気である。
【００１４】
このようにしてワーク１から滴下された水滴は空気の流れ６に従って落下し、再度ワーク１の表面に付着されることはない。
【産業上の利用可能性】
【００１５】
以上のとおり、本発明の水切り装置Ａは空気の流れ６に従って下方に落下し、再度ワーク１の表面に付着するようなことはなく、洗浄技術分野において利用性が高い。  
【図面の簡単な説明】
【００１６】
【図１】本発明にかかるワークの水切り装置の一具体例の側面図である。
【図２】図１の水切り装置Ａの平面図である。
【符号の説明】
【００１７】
Ａ  ワークの水切り装置
１  ワーク
２  エアブローボックス
３  クランプ冶具
４  冶具回転機構
５  エアブロー
６  空気の流れ
７  滴下水滴
８  回転中心軸
９  モータ
１０  減速機
１１  水滴
１２  排気用ブロアファン
１３  排気
【図１】
2008086914.tif 000003
【図２】
2008086914.tif 000004
(57)【要約】 【課題】  強酸性の食品残渣物を乾燥させ土壌改良材、又は肥料に再活用させる手段は無いか。【解決手段】  乾燥時に強酸処理物と共に相前後させて乾燥助材として高アルカリ系の高炉水砕スラグを混入させることにより、乾燥時に核として空間を作り中性の乾燥物を作る。【特許請求の範囲】
【請求項１】
強酸性物質を含む食品残渣物の乾燥時に於いて、高アルカリ系の高炉水砕スラグを乾燥助材として共に乾燥機槽内に供給した、攪拌による助材の研磨及び混合と加熱による乾燥物の製造方法。
【発明の詳細な説明】
【技術分野】
【０００１】
食品残渣物は再利用を図るため乾燥により肥料原料に活用されるが、野菜、果物等の種類の中には中性でない物も有るのを再資源化することに関する。
【背景技術】
【０００２】
我が国では大量に飲まれているリンゴジュースの絞りカスは、信州と青森で日量１００ｔ以上の廃棄物となり土中深く埋められている。
廃棄物の活用方法として、リンゴの不良品と絞りカス、スクリーンカスがある。スクリーンカスはバー目開の小さな細目除塵機でスクレーパーによって掻き上げた物、機械容器等の洗浄した汚泥を脱水機により脱水させたケーキである。
【０００３】
これらは牛の飼料に一部活用される以外は埋め立てられている。飼料も利用のためセイロに広げ天日乾燥後煮沸させて、正規の飼料に２０パーセント以下で混入させている現状である。
廃棄物を簡単に乾燥させ、含水率１０パーセント程度に減水させて肥料に活用される食品残渣物が多い中で、リンゴだけが出来ずに引き取り手の無い問題がある。
【０００４】
リンゴになぜ問題が発生するのか。まず乾燥工程に於いて間接加熱させると、槽内壁に液体がアメ状に積層し伝熱を阻害する。
乾燥阻害を防止するため乾燥助材として、お茶がら、ふすま、もみがら等を乾燥初期より混入させる方法を講じている。
ところが出来た乾燥粉体はＰＨ２の強酸のため畑にまくと作物が枯れる問題が生じた。
湿り空気を排出させるための設備空気機械は、耐酸鋼でないものは腐食が３ヶ月程度で生じる。
【０００５】
今、国内外を問わず鉄鋼は盛況を迎えている。製鋼時に発生するスラグを水の圧力で破砕した水砕スラグの出口として利用したい。水砕スラグは塊状であり、一片の形状は針状結晶をしていてＰＨは１１〜１２程度のアルカリ質である。
又、良い事に１６００℃の高温溶解物なので作物に悪影響を及ぼさない。
【０００６】
ただし針状形状は農家が土を手で触れるには不都合である。物質の角を落とすためインパクトクラッシャーにて滑破砕させ角を落として、上記リンゴ残渣物乾燥助材兼水分調整材の効果と、混入させる事で中性、又は少しＰＨの高いアルカリ側に互いの混入量で自由に規正が可能であるか。
又、乾燥中攪拌機により切り返し反転されることで形を良くする事が可能か。
【特許文献１】特開２００２−１３６９４７  生ゴミの消滅処理方法  日本リサイクリング株式会社
【発明の開示】
【発明が解決しようとする課題】
【０００７】
解決しようとする課題は、難乾燥物で助材と共にでないと乾燥しがたく、乾燥物は強酸性が災いして肥料には不向きである。
又、水砕スラグはアルカリが強く、道路の路盤以外には活用が困難である。
【課題を解決するための手段】
【０００８】
本発明は、助材を使用しないと乾燥が困難なリンゴ残渣物に高炉溶解水砕スラグを助材として活用し、強酸性とアルカリとを混合させ土壌改良材、又は肥料に活用が可能である。
【発明の効果】
【０００９】
本発明は共に弱点を持つ二つの物質の短所を組み合わせ補い合うことで、乾燥結果の利点と中性の有機肥料として活用が可能である。
【発明を実施するための最良の形態】
【００１０】
乾燥にあたってはリンゴの残渣物と水砕スラグは共にどちらが先でも問題なく、相前後して供給させる。
高炉の水砕スラグは乾燥時の助材として核となって処理物の個々の間に空間を作る。
この空間を保持、持続させるため従来は茶カスを入れていた。
【００１１】
核の代用をスラグに置き換えると、高炉で製鋼時にノロとして排出した物質のため、作物に害を与える菌は介在せず、又、高温によって鉄を溶解させた廃棄物である。
現在の所高炉水砕スラグの用途は、路盤材、コンクリートの細砂の代用等に使用されている。
【００１２】
水砕スラグの上記代用に至っても問題がある。まずスラグの形状が針状であり皮膚に突き刺さる。そしてＰＨ値が高いＰＨ１２以上ありコンクリート混入には有利であるが時間と共に発泡する性質がある。
【００１３】
水砕スラグをインパクトクラッシャー等でもみ、角を取ると針状で無くなり丸みをおびる。
更に蒸気によって加熱させ蒸すという工程に於いて水砕スラグを枯らせてしまう。
【００１４】
リンゴの残渣物は強酸値ＰＨ２であり高炉水砕スラグはＰＨ１１以上を有する。乾燥させ加熱させることでスラグの発泡を促進させることにより、土壌に還しても作物の枯死を防ぐことが可能である。
【００１５】
乾燥助材を入れなければリンゴ酸は乾燥機内壁に積層し乾燥しない。乾燥させた物質が酸性のため産業廃棄物として管理型処分場に高価な代償を払って捨てられていた。高炉スラグ混入乾燥によって乾燥促進と乾燥物の再利用が可能である。
(57)【要約】【課題】背面板を本体部に保安接地して帯電を防止するとともに、背面板の着脱時に煩雑な作業を不要とする。【解決手段】本体部１ａの雌ねじ部１ｃのうちの１箇所に対応した背面板１ｂの背面側に接地用金具３をその凹部３ｂが背面板１ｂの引掛用穴１ｄの小径部と重なるようにねじ４により取り付け、凹部３ｂ及び引掛用穴１ｄに挿通したつまみねじ２を本体部１ａの雌ねじ部１ｃに螺合することにより接地用金具３と背面板１ｂとを本体部１ａに締め付ける。【選択図】図１
2008086093.tif 000002
【特許請求の範囲】
【請求項１】
本体部の複数箇所に設けた雌ねじ部に背面板をその引掛用穴に挿通したつまみねじにより締め付けた電機設備機器において、本体部の雌ねじ部のうちの一箇所に対応した背面板の背面側に接地用金具をその凹部が背面板の引掛用穴と重なるように取り付け、該凹部及び引掛用穴に挿通したつまみねじを本体部の雌ねじ部に螺合することにより接地用金具と背面板とを本体部に締め付けたことを特徴とする電機設備機器。
【発明の詳細な説明】
【技術分野】
【０００１】
この発明は、配電盤等の電機設備機器に関するものである。
【背景技術】
【０００２】
電力会社や官公庁・民間企業に納入する配電盤等の電機設備機器においては、背面側を扉ではなく、背面板としている場合、背面板は保安接地されていないか、あるいは背面板を電気設備機器の本体部と保安接地線により接続することにより保安接地していた。
【０００３】
なお、この出願の発明に関連する先行技術文献情報としては、特許文献１があり、これは配電盤の外ケース内に収納された複数のユニットの接地作業を容易にするものである。
【特許文献１】特開平９−２０５７０５号公報
【発明の開示】
【発明が解決しようとする課題】
【０００４】
電機設備機器において、背面板が保安接地されていない場合、背面板は塗装やナイロンワッシャー等の存在により本体部との導通が確保されないことがあり、背面板が帯電する可能性がある。又、背面板を保安接地線で本体部と接続して保安接地した場合、背面板の着脱時に保安接地線を取り外す必要があり、作業が煩雑になるとともに、場合によっては、保安接地線を切断してしまう可能性もあった。
【０００５】
この発明は上記のような課題を解決するために成されたものであり、背面板を確実に保安接地してその帯電を防止するとともに、背面板の着脱時に保安接地線を取り外す等の煩雑な作業を不要とすることができる電機設備機器を得ることを目的とする。
【課題を解決するための手段】
【０００６】
この発明の請求項１に係る電機設備機器は、本体部の複数箇所に設けた雌ねじ部に背面板をその引掛用穴に挿通したつまみねじにより締め付けた電機設備機器において、本体部の雌ねじ部のうちの一箇所に対応した背面板の背面側に接地用金具をその凹部が背面板の引掛用穴と重なるように取り付け、該凹部及び引掛用穴に挿通したつまみねじを本体部の雌ねじ部に螺合することにより接地用金具と背面板とを本体部に締め付けたものである。
【発明の効果】
【０００７】
以上のようにこの発明によれば、背面板の背面側に接地用金具を取り付けるとともに、つまみねじにより接地用金具及び背面板を本体部に締め付けており、背面板を本体部に確実に保安接地してその帯電を防止することができる。又、背面板の着脱時に保安接地線を取り外す等の煩雑な作業を不要とすることができる。
【発明を実施するための最良の形態】
【０００８】
以下、この発明を実施するための最良の形態を図面とともに説明する。図１（ａ），（ｂ）はこの発明の実施最良形態による電機設備機器の斜め後方から見た斜視図、及びそのＡ部拡大分解図を示し、１は電機設備機器であり、１ａは電機設備機器１の背面側が除去された本体部であり、本体部１ａの背面側には二枚の背面板１ｂが取り付けられる。本体部１ａの背面側には一枚の背面板１ｂに対して４箇所の雌ねじ部１ｃが設けられ、背面板１ｂには各雌ねじ部１ｃに対応して引掛用穴１ｄが設けられ、引掛用穴１ｄは小径部と大径部とからだるま形状に形成される。背面板１ｂの取付に際しては、本体部１ａの各雌ねじ部１ｃにそれぞれつまみねじ２を螺合した後、背面板１ｂの各引掛用穴１ｄの大径部をつまみねじ２に挿通し、つまみねじ２のねじ部２ａに引掛用穴１ｄの小径部を嵌合し、つまみねじ２を雌ねじ部１ｃに締め付けて背面板１ｂを本体部１ａの背面側に固定する。
【０００９】
ここで、背面板１ｂの保安接地構造について説明する。背面板１ｂは本体部１ａの４箇所の雌ねじ部１ｃにつまみねじ２により締め付けるが、そのうちの１箇所の雌ねじ部１ｃに対応した背面板１ｂの背面側にメッキ処理された接地用金具３を２本のねじ４により取り付ける。即ち、２本のねじ４を接地用金具３の挿通孔３ａに挿通し、背面板１ｂに設けたタップ孔１ｅに締め付けることにより接地用金具３を背面板１ｂの背面側に取り付ける。接地用金具３には接地用である旨の表示をする。接地用金具３には凹部３ｂを設け、凹部３ｂは引掛用穴１ｄの小径部と重なるように取り付けられ、凹部３ｂ及び引掛用穴１ｄの小径部に挿通したつまみねじ２を雌ねじ部１ｃに螺合することにより接地用金具３と背面板１ｂとを本体部１ａに締め付ける。なお、つまみねじ２の締付においては、ナイロンワッシャー等を用いない。
【００１０】
上記構成において、ねじ４の締付により、接地用金具３が背面板１ｂに取り付けられて両者の間が導通し、またつまみねじ２の締付により接地用金具３がつまみねじ２を介して本体部１ａと導通状態となり、背面板１ｂの保安接地が行われる。
【００１１】
上記した実施最良形態においては、背面板１ｂの背面側に接地用金具３を取り付けるとともに、つまみねじ２により接地用金具３及び背面板１ｂを本体部１ａに締め付けており、背面板１ｂを本体部１ａに確実に保安接地してその帯電を防止することができるとともに、作業者が保安接地を特に意識することなく、保安接地を行うことができる。しかも、背面板１ｂの着脱時に保安接地線を取り外す等の煩雑な作業を不要とすることができる。
【図面の簡単な説明】
【００１２】
【図１】この発明の実施最良形態による電機設備機器の斜視図及びそのＡ部拡大分解図である。
【符号の説明】
【００１３】
１…電機設備機器
１ａ…本体部
１ｂ…背面板
１ｃ…雌ねじ部
１ｄ…引掛用穴
１ｅ…タップ孔
２…つまみねじ
３…接地用金属
３ａ…挿通孔
３ｂ…凹部
４…ねじ
【図１】
2008086093.tif 000003
(57)【要約】【課題】従来、火災の際に頭部や皮膚守るために、シーツなどの表面積の大きな布で体を覆うことでやけど等を防ぐ方法がある。しかし、このような表面積の大きな布は簡単に取り出せる場所にないことがしばしばである。そのため、すばやく取り出すことが出来ずに安全な避難には結びついていない。そこで、家庭内でいつでも手近な場所にある表面積の大きい布としてカーテンの利用が考えられる。しかし、通常カーテンはランナーに取り付け、カーテンレールを摺動するが、容易に嵌脱できない問題点が指摘されていた。【解決手段】本発明は、カーテンレール用のランナーにおいてスライダー部とカーテン部を二分し、スライダー部とカーテン部を磁石で結合し、容易に着脱可能とした。【選択図】図１
2008086544.tif 000002
【特許請求の範囲】
【請求項１】
カーテンレール用のランナーにおいてスライダー部とカーテン部を二分し、スライダー部とカーテン部を磁石で結合し、容易に着脱可能としたことを特徴とするカーテンレール用磁石式ランナー。
【発明の詳細な説明】
【技術分野】
【０００１】
本発明は、カーテンレール用ランナーに関するものである。
【背景技術】
【０００２】
カーテンレール用のランナーは、カーテンを吊して開閉自在にするために複数組み入れ、カーテンレール内を摺動自在に動くことができる。これらランナーは、カーテンを吊り下げ可能なハンガー部と、このハンガー部をカーテンレールに沿って摺動自在な状態で支持させるスライダー部とを有している。
カーテンレールには、下向きに凹溝を有した断面コ字状となっているものが多い。
これらカーテンは、火災や地震などの緊急災害発生時に避難者が建築物から脱出するため避難器具として利用されることがある。
【特許文献１】特開２００６−３４４４５号公報
【発明の開示】
【発明が解決しようとする課題】
【０００３】
しかし、一般家庭においては救助袋のような避難器具を設置することは設置場所や設置費用の面から難しく、家庭内の表面積の大きな布は緊急時にすばやく取り出すことが難しいことなどから身近なカーテンを利用されることが多い。
【０００４】
近年カーテンは石油ストーブなどから引火する事故が多発したことから、カーテン地に難燃性の繊維が織り込まれているため火災の時など避難用の防火シートそして活用される事例が見られるが、老人や女性や子供の力ではカーテンをカーテンレールから抜脱することは複数のランナーがカーテンレールに嵌着されているため困難で、身近なカーテンを避難用として使用できないことが指摘されていた。
【課題を解決するための手段】
【０００５】
本発明は、上記目的を達成するため、請求項１記載の発明は、カーテンレール用のランナーにおいてスライダー部とカーテン部を二分し、スライダー部とカーテン部を磁石で結合し、容易に着脱可能としたことを特徴とする。
【発明の効果】
【０００６】
本発明は、火災や地震などの緊急災害発生時に避難者が建築物から脱出するため避難器具として、カーテンレール用のランナーをスライダー部とハンガー部を磁石で結合し着脱可能としたことで、力の弱い老人や女性や子供でも容易に嵌脱でき、手近なカーテンを緊急災害発生時の避難用具として活用できる。
【発明を実施するための最良の形態】
【０００７】
本発明は、カーテンレール用のランナーを磁石化することで実現した。
【実施例】
【０００８】
以下に実施例を挙げ、本発明の磁石式ランナーについて、図面を参照して詳細に説明する。
【０００９】
図１は、この発明に係わる磁石式ランナーの実施例を示す斜視図である。
【００１０】
図１において、磁石式ランナーは、スライダー部３とハンガー部４とに二分される。
【００１１】
スライダー部の下部にはスライダー部磁石５を具備し、ハンガー部４の上部にはハンガー部磁石を具備している。
【００１２】
スライダー部頭部にはＴ型の摺動部を具備し、この摺動部がカーテンレール２を自在の摺動することでカーテンの開閉ができる。
【００１３】
Ｔ型の摺動部は円形でも球形でもカーテンレール２を自在に摺動できるものであればよい。
【００１４】
ハンガー部４の底部にはカーテンを吊着するフック７が具備している。
【００１５】
フック７は図１では円形であるが鈎状でも良いし、挾着する形状のものでもよい。
【００１６】
スライダー部の下部に具備されたスライダー部磁石５とハンガー部４の上部に具備されたハンガー部磁石はそれぞれＮ極とＳ極とに二分されている。
【００１７】
Ｎ極とＳ極とに分けられスライダー部の下部に具備されたスライダー部磁石５とハンガー部４の上部に具備されたハンガー部磁石はそれぞれ吸引し合って磁着する。
【００１８】
通常のカーテンの開閉においては、前記Ｎ極とＳ極とに分けられスライダー部の下部に具備されたスライダー部磁石５とハンガー部４の上部に具備されたハンガー部磁石の磁着は着脱しないが、力の弱い老人や女性や子供でもフック７に接続されたカーテンを引っ張ると容易に嵌脱できる。
【００１９】
磁石の磁着力はカーテン重量で選別される。
【産業上の利用可能性】
【００２０】
本発明は、カーテンレール用のランナーの用途に適用できる。
【図面の簡単な説明】
【００２１】
【図１】この発明に係わる磁石式ランナーの実施例を示す斜視図である。
【符号の説明】
【００２２】
１  磁石式ランナー
２  カーテンレール
３  スライダー部
４  ハンガー部
５  スライダー部磁石
６  ハンガー部磁石
７  フック
【図１】
2008086544.tif 000003
(57)【要約】【課題】  従来のベルトやロープ等を使用して設置する方法では、設置作業時に作業員の１人が放射線装置を支えながらもう１人の作業員がベルトの締め付け作業を行う必要があり、２人以上の作業員が必要となっていた。また、高所で作業する場合重量のある放射線装置を支えている時間が長く、危険が増える。１箇所撮影するたびに締め付けを緩めて装置を移動させ、再度締め付け作業をするので、作業時間がかかり効率が悪くなることと、締め付け作業ごとに撮影位置がずれる可能性があり、設置精度の低下の恐れがあった。【解決手段】  ベルトに放射線装置を吊り下げるためのフックが連続して配置されており、鋼管の中心軸と放射線装置の角度が検査に必要な所定の角度を得られる構造を有しているフックを使用し、放射線装置を鋼管に取り付ける。フックには、鋼管との接触部分にフックによる傷防止と滑り止めを目的とする緩衝材が取り付けられている。【選択図】図１
2008256658.tif 000002
【特許請求の範囲】
【請求項１】
立ち向き鋼管の周溶接部における放射線透過試験を行う場合において、放射線装置を吊り下げるためのフックが連続して配置されていることを特徴とする鋼管の放射線透過試験用ベルト。
【請求項２】
請求項１に記載の放射線透過試験用ベルトにおいて、鋼管との接触部分にフックによる傷防止とベルトの滑り止めを目的とする緩衝材を取り付けたことを特徴とする鋼管の放射線透過試験用ベルト。
【請求項３】
請求項１及び請求項２に記載の放射線透過試験用ベルトにおいて、鋼管の中心軸と放射線装置の角度が検査に必要な所定の角度を得られる構造を有しているフックを有していることを特徴とする鋼管の放射線透過試験用ベルト。
【発明の詳細な説明】
【技術分野】
【０００１】
立ち向き金属管の周溶接部における放射線透過試験を行う際の放射線検査装置の設置補助器具に関するものである。
【背景技術】
【０００２】
立ち向き鋼管の周溶接部の放射線透過試験を行う場合は、図２に示すように、放射線装置５を鋼管８にほぼ平行に手持ちで配置し、鋼管８と放射線装置５を一体化するようにベルト１０やロープなど柔軟性のあるもので巻き、締め付けて固定し、鋼管８の反対側にフィルムを内蔵したカセット９を配置して検査を行っていた。放射線透過試験は所定の間隔で行う必要があるため、放射線装置５を移動させる場合は、装置を支えた上でベルト１０の締め付けを緩め、放射線装置５を周方向に移動させた後ベルト１０を再度締め付ける作業を繰り返して放射線透過試験を行っていた。
【０００３】
特許文献１によれば、ベルトの代わりに円形状の治具を放射線透過試験に使用している例もある。しかしながら、円形状の治具では大掛かりであるばかりではなく、管径が大きく異なる場合に対応できない。
【特許文献１】公開実用新案公報  昭５９−１４９０４９号
【発明の開示】
【発明が解決しようとする課題】
【０００４】
従来のベルトやロープ等を使用して設置する方法では、設置作業時に作業員の１人が放射線装置を支えながらもう１人の作業員がベルトの締め付け作業を行う必要があり、２人以上の作業員が必要となっていた。また、高所で作業する場合重量のある放射線装置を支えている時間が長く、危険が増える。１箇所撮影するたびに締め付けを緩めて装置を移動させ、再度締め付け作業をするので、作業時間がかかり効率が悪くなることと、締め付け作業ごとに撮影位置がずれる可能性があり、設置精度の低下の恐れがあった。
【課題を解決するための手段】
【０００５】
本発明は、ベルト２に放射線装置５を吊り下げるためのフック１が連続して配置されており、鋼管８の中心軸と放射線装置５の角度が検査に必要な所定の角度を得られる構造を有しているフック１を使用し、鋼管８との接触部分にフックによる傷防止と滑り止めを目的とする緩衝材４が取り付けられたベルトを使用して、放射線装置５を鋼管８に取り付ける。
【発明の効果】
【０００６】
本発明により、１回の撮影毎に固定用ベルトを緩めて所定の撮影位置に移動してベルトの締め付け行う作業の必要が無くなり、フックのはずれない範囲で持ち上げて移動させるか持ち上げずにスライドさせて移動することが可能になったため、放射線装置の落下の危険性が少なくなった。溶接線から一定距離に設置する作業の時間も短縮された。また、放射線装置の設置角度も一定となるため、ぶれの無い安定的な設置が可能となった。
【発明を実施するための最良の形態】
【０００７】
立ち向き鋼管の周溶接部の放射線透過試験を行う場合は、図２に示すようにフィルムを内蔵したカセット９を溶接線７上に配置し、鋼管８に対してフィルムと反対側に放射線発生点を溶接線からずらして放射線装置を設置する必要がある。一度に撮影できる周方向の長さは限られているので、溶接線のすべてを検査するためには、図３に示すように周の長さを数等分にして一定間隔で移動しながら撮影を繰り返す必要がある。従来の設置方法では移動するたびに設置作業を繰り返す必要があった。
【０００８】
本発明は図１に示すように、放射線装置を吊り下げるためのフック１を複数連続的にベルト２に取り付け、ベルトの鋼管と接する側にフックが鋼管を傷つけないようにするためとベルトの滑り止めのために緩衝材４を取り付けられている。ベルト２とフック１の一体化は、各フックにボルト１５が固定してあり図１に示すフック１とボルト１５の隙間にベルトを通すことでベルトとフックの分離を防ぐと同時に管径による周長さの調整も容易なものとなっている。溶接線からのベルトの固定位置は、管径による異なる最適な検査位置となるように目安ひも３に目印１６を付しておくことで正確な位置への締め付け作業が容易となる。目安ひもは、ひもでなく自由落下のある棒状のものでも良い。
【０００９】
放射線装置にはフックに吊り下げられるようにするため上部にフック６を取り付けておく。ベルトを撮影位置に合わせて設置後、放射線装置５を吊り下げることにより、放射線装置５を容易に設置することができる。
【００１０】
１回の撮影後、放射線装置を次の撮影位置に移動させるが、ベルトを緩める必要は無く、所定の撮影位置に放射線装置をスライドさせるだけで次の撮影位置への設置が完了する。 
【産業上の利用可能性】
【００１１】
大きな径の鋼管が多数使用されている各種プラントなどにおいては、一カ所の周接合長さが長く数回の放射線装置の移動および設置が必要であるが、特に立ち上がり管においては移動および設置の効率が向上し、誤った設置が無くなった。
【図面の簡単な説明】
【００１２】
【図１】鋼管の放射線透過試験用ベルトの使用状態を説明する図
【図２】従来のベルトの使用状態を説明する図
【図３】放射線透過試験の移動を説明する図
【符号の説明】
【００１３】
１    放射線装置吊り下げ用フック
２    フックを装着したベルト
３    距離目安ひも
４    緩衝材
５    放射線装置
６    装置側フック
７    溶接線
８    鋼管
９    フィルムを内蔵したカセット
１０  締め付け用ベルト又はロープなど
１１  １回目のカセット設置位置
１２  ２回目のカセット設置位置
１３  １回目の撮影の放射線発生位置
１４  ２回目の撮影の放射線発生位置
１５  ボルト
１６  目安ひも目印
【図１】
2008256658.tif 000003
【図２】
2008256658.tif 000004
【図３】
2008256658.tif 000005
(57)【要約】【課題】従来の燃料流量制御装置は、回転軸の一端と流量制御弁箱との間の隙間に潤滑剤を充填した樹脂を設けることで第２流路への加圧燃料の流入を防いでいたので、回転軸の回転による樹脂の摩耗が発生し、装置としての寿命が短くなっていた。【解決手段】本発明による燃料流量制御装置は、回転軸２の一端２ｂと流量制御弁箱５との間に非接触のラビリンスシール１０を設け、このラビリンスシール１０によって、第１流路３から第２流路４への加圧燃料６の直接的な流入を防ぐ構成である。【選択図】図１
2008256172.tif 000002
【特許請求の範囲】
【請求項１】
筒状のダクト（１）と、
前記ダクト（１）内に配置された筒状の回転軸（２）と、
前記ダクト（１）の内壁（１ａ）と前記回転軸（２）の外壁（２ａ）との間に設けられ、加圧燃料（６）が通過する第１流路（３）と、
前記回転軸（２）の内側に設けられた第２流路（４）と、
前記第１流路及び第２流路（３，４）間を接続するように前記ダクト（１）及び前記回転軸（２）の一端（１ｂ，２ｂ）に接続され、前記第１及び第２流路（３，４）間を開閉する開閉弁によって前記第２流路（４）への吐出燃料（７）の量を制御する流量制御弁箱（５）と
を備え、
前記回転軸（２）の前記一端（２ｂ）と前記流量制御弁箱（５）との間には非接触のラビリンスシール（１０）が設けられていることを特徴とする燃料流量制御装置。
【請求項２】
前記ラビリンスシール（１０）は、凹凸部（１０ａ，１０ｂ）の組み合わせよる輪状シールを構成していることを特徴とする請求項１記載の燃料流量制御装置。
【発明の詳細な説明】
【技術分野】
【０００１】
本発明は、燃料流量制御装置に関し、特に、回転軸の一端と流量制御弁箱との間に非接触のラビリンスシールを設けることで、摩耗によるシールの劣化を防ぎ、装置としての寿命を長くする新規な改良に関するものである。
【背景技術】
【０００２】
社内技術で特に特許出願を行っていないため文献名は挙げていないが、従来用いられていたこの種の燃料流量制御装置は、図３のように構成されている。図３は、従来の燃料流量制御装置を示す断面図である。図において、筒状のダクト１の内側に該ダクト１と同様に延びる筒状の回転軸２が配置されており、ダクト１の内壁１ａと前記回転軸２の外壁２ａとの間に第１流路３が形成されるとともに、前記回転軸２の内側に第２流路４が形成されている。これらダクト１及び回転軸２の一端１ｂ，２ｂには、前記第１及び第２流路３，４間を接続する流路を有する流量制御弁箱５が接続されており、この流量制御弁箱５には前記第１及び第２流路３，４間を開閉する開閉弁（図示せず）が設けられている。前記第１流路３には加圧燃料６が通過するように構成されており、前記開閉弁の開閉動作によって第２流路４への吐出燃料７の量が制御される。前記回転軸２の一端２ｂと前記流量制御弁箱５との間の隙間には、潤滑剤を充填した樹脂８が設けられており、この樹脂８によって、回転軸２の回転を円滑にするとともに、第１流路３の加圧燃料６がこの隙間を通って第２流路４に流入することを防いでいる。
【発明の開示】
【発明が解決しようとする課題】
【０００３】
上記のような従来の燃料流量制御装置では、前記回転軸２の一端２ｂと前記流量制御弁箱５との間の隙間に樹脂８を設けることで第２流路４への加圧燃料６の流入を防いでいるので、回転軸２の回転による樹脂８の摩耗が発生し、装置としての寿命が短くなっていた。
【０００４】
本発明は、上記のような課題を解決するためになされたものであり、その目的は、摩耗によるシールの劣化を防ぎ、装置としての寿命をより長くできる燃料流量制御装置を提供することである。
【課題を解決するための手段】
【０００５】
本発明に係る燃料流量制御装置は、筒状のダクトと、前記ダクト内に配置された筒状の回転軸と、前記ダクトの内壁と前記回転軸の外壁との間に設けられ、加圧燃料が通過する第１流路と、前記回転軸の内側に設けられた第２流路と、前記第１流路及び第２流路間を接続するように前記ダクト及び前記回転軸の一端に接続され、前記第１及び第２流路間を開閉する開閉弁によって前記第２流路への吐出燃料の量を制御する流量制御弁箱とを備え、前記回転軸の前記一端と前記流量制御弁箱との間には非接触のラビリンスシールが設けられている構成である。
また、前記ラビリンスシールは、凹凸部の組み合わせよる輪状シールを構成している。
【発明の効果】
【０００６】
本発明の燃料流量制御装置によれば、前記回転軸の一端と前記流量制御弁箱との間には非接触のラビリンスシールが設けられているので、第１流路から第２流路への加圧燃料の直接的な流入を防ぎつつ、摩耗によるシールの劣化を防ぐことができ、装置としての寿命を長くできる。
【発明を実施するための最良の形態】
【０００７】
以下、本発明を実施するための最良の形態について、図面を参照して説明する。
実施の形態１．
図１は、本発明の実施の形態１による燃料流量制御装置を示す断面図である。図２は、図１の要部を拡大して示す側面図である。なお、従来の燃料流量制御装置と同一又は同等部分については同一の符号を用いて説明する。図において、筒状のダクト１の内側に該ダクト１と同様に延びる筒状の回転軸２が配置されており、ダクト１の内壁１ａと前記回転軸２の外壁２ａとの間に第１流路３が形成されるとともに、前記回転軸２の内側に第２流路４が形成されている。これらダクト１及び回転軸２の一端１ｂ，２ｂには、前記第１及び第２流路３，４間を接続する流路を有する流量制御弁箱５が接続されており、この流量制御弁箱５には前記第１及び第２流路３，４間を開閉する開閉弁（図示せず）が設けられている。前記第１流路３には加圧燃料６が通過するように構成されており、前記開閉弁の開閉動作によって第２流路４への吐出燃料７の量が制御される。
【０００８】
図２に拡大して示すように、前記回転軸２の一端２ｂと前記流量制御弁箱５との間にはラビリンスシール１０が設けられている。このラビリンスシール１０は、凹凸部１０ａ，１０ｂの組み合わせよるものであり、前記一端２ｂの全周にわたって輪状シールを構成している。前記回転軸２は図示しない軸受によって支持されており、前記一端２ｂ及び前記流量制御弁箱５は互いに非接触とされている。すなわち、この実施の形態の燃料流量制御装置では、この非接触のラビリンスシール１０によって、第１流路３から第２流路４への加圧燃料６の直接的な流入を防いでおり、摩耗によるシールの劣化を防ぐことができ、従来装置に比べて装置としての寿命をより長くできる。
【図面の簡単な説明】
【０００９】
【図１】本発明の実施の形態１による燃料流量制御装置を示す断面図である。
【図２】図１の要部を拡大して示す側面図である。
【図３】従来の燃料流量制御装置を示す断面図である。
【符号の説明】
【００１０】
１  ダクト、２  回転軸、３，４  第１及び第２流路、５  流量制御弁箱、１０  ラビリンスシール。
【図１】
2008256172.tif 000003
【図２】
2008256172.tif 000004
【図３】
2008256172.tif 000005